(57)【特許請求の範囲】
【請求項１】
終点スイッチの取り付け面側に固定され、測定時にかごの移動により終点スイッチの取り付け面側とかご側との間に挟まれて終点スイッチの間隙を測定するエレベータ上下終点スイッチ間隙測定装置であって、
先端にかごの動きに応じて滑動しながらかご側に当接する滑動手段を有する目盛部材と、前記目盛部材を摺動自在に保持する保持体と、前記目盛部材の摺動を抑制する抑制手段と、前記保持体を前記終点スイッチの取り付け面側に着脱自在にかつかごの動きにより受ける力に抗して固定させる固定手段とを備えたことを特徴とするエレベータ上下終点スイッチ間隙測定装置。
【請求項２】
滑動手段はローラであることを特徴とする請求項１に記載のエレベータ上下終点スイッチ間隙測定装置。
【請求項３】
抑制手段は目盛部材を保持体の摺動面の一部に常に圧接させる付勢部材であることを特徴とする請求項１又は請求項２に記載のエレベータ上下終点スイッチ間隙測定装置。
【請求項４】
付勢部材は板ばねであることを特徴とする請求項３に記載のエレベータ上下終点スイッチ間隙測定装置。
【請求項５】
固定手段は磁石であることを特徴とする請求項１乃至請求項４の何れかに記載のエレベータ上下終点スイッチ間隙測定装置。
【発明の詳細な説明】
【０００１】
【発明の属する技術分野】
本発明は、エレベータの上下終点スイッチとしてのターミナルと、エレベータのカゴの側面に装置され前記終点スイッチを作動させる駆動カムとの間隙寸法を測定する装置に関する。
【０００２】
【従来の技術】
エレベータの上下の終点スイッチは、それが確実に動作できるように、終点スイッチとその作動カムとの間隙寸法は検査基準で規定されている。
従来では、この測定に当たって、特に専用の測定器がなく、測定者がその都度エレベータのカゴの上に乗り、定規等を使ってその間隙寸法を直接に測定していた。
しかし、終点スイッチの取り付け位置によっては、測定者が身を乗り入れて測定するに極めて困難な場合があり、又、無理な状態での測定であるため精度も高くはなかった。
このように、エレベータの上下終点スイッチと駆動カムとの間隙寸法の測定は、作業性が非常に悪く、位置によっては測定作業が非常に困難となる等の課題があった。
【０００３】
以下、図４に基づいて従来の技術を詳しく説明する。
図４は上部側の終点スイッチの測定位置とその構成の概要を示す図である。
図中の符号１は終点スイッチのスイッチボックスであり、複数個の終点スイッチ２、２が上昇して来るカゴ１５の側面と向かい合うよう、昇降路内の適所に設置されている。
３はカゴの外側面に装置された駆動カムであり、カゴ１５が上昇し、カゴ１５の駆動カム３が、終点スイッチ２のスイッチローラ２ａを押し付けることで、終点スイッチ２が動作する。
【０００４】
従来では、次のような測定を行なっていた。
先ず、測定者がカゴ１５の天井の上に乗り込み、カゴ１５をゆっくり上昇移動させながら、カゴ１５の外側面に装置された駆動カム３が、測定する終点スイッチ２のスイッチローラ２ａに出会って、終点スイッチ２が動作したときの位置に、カゴ１５を停止させる。
次に、カゴ１の天井からカゴ１５の外側面に身を乗り出し、手を差し伸べて、上記停止状態におけるカゴ１５の駆動カム３と終点スイッチ２が取り付けられたスイッチボックス１の側面との間隙寸法４を、手持ちの定規５を当てて目盛を読む、という方法で測定していた。
この測定要領にて、少なくとも、２ヶ所において間隙寸法４を測定し、スイッチボックス１の倒れが無いかを確認する。
【０００５】
【発明が解決しようとする課題】
従来の測定方法では、カゴ１５の天井の上に測定者が乗り、カゴ１５を測定できる位置まで上昇移動移動させる必要があるが、エレベータの昇降路内におい、エレベータシャフトの頂部と上限に達したカゴ１５の天井との間隙が狭い場合、例えば油圧式エレベータ等では、狭い空間で測定作業をしなければならず、測定を行ない難い。
又、終点スイッチ２の取り付け位置如何によっては、例えばカゴ１５の下部側に位置されている場合等があるが、このような場合では、更に、測定が難しくなり、正確な測定は難しい。
このように、従来の測定方法では、作業位置や機構の性格上、作業者による測定作業に大きな課題があった。
本発明は、上記課題を解消し、正確且つ容易に測定できるエレベータの上下終点スイッチ間隙測定装置の提供を目的とする。
【０００６】
【課題を解決するための手段】
請求項１の発明は、終点スイッチの取り付け面側に固定され、測定時にかごの移動により終点スイッチの取り付け面側とかご側との間に挟まれて終点スイッチの間隙を測定するエレベータ上下終点スイッチ間隙測定装置であって、先端にかごの動きに応じて滑動しながらかご側に当接する滑動手段を有する目盛部材と、前記目盛部材を摺動自在に保持する保持体と、前記目盛部材の摺動を抑制する抑制手段と、前記保持体を前記終点スイッチの取り付け面側に着脱自在にかつかごの動きにより受ける力に抗して固定させる固定手段とを備えたことを特徴とする。
【０００７】
請求項２の発明は、請求項１に記載のエレベータ上下終点スイッチ間隙測定装置において、滑動手段はローラであることを特徴とする。
【０００８】
請求項３の発明は、請求項１又は請求項２に記載のエレベータ上下終点スイッチ間隙測定装置において、抑制手段は目盛部材を保持体の摺動面の一部に常に圧接させる付勢部材であることを特徴とする。
【０００９】
請求項４の発明は、請求項３に記載のエレベータ上下終点スイッチ間隙測定装置において、付勢部材は板ばねであることを特徴とする。
【００１０】
請求項５の発明は、請求項１乃至請求項４の何れかに記載のエレベータ上下終点スイッチ間隙測定装置において、固定手段は磁石であることを特徴とする。
【００１１】
【発明の実施の形態】
実施の形態１．
以下、本発明を実施の形態１を示す図１乃至図３に基づいて説明する。
図１はエレベータ上下終点スイッチ間隙測定装置（以下、間隙測定装置という）を設置した状態を示す図、図２は間隙測定装置の斜視図、図３は間隙測定装置を設置した状態の拡大図である。
本発明の間隙測定装置は、先端に滑動手段を有する目盛部材と、目盛部材を摺動自在に保持する保持体と、目盛部材の摺動を抑制する抑制手段と、保持体を着脱自在に測定位置に固定させる固定手段とを備えたものである。
【００１２】
図３において、１３は目盛部材であり、板状の摺動体の表面側に所要の目盛１４が刻まれている。この目盛部材１３の先端には、駆動カム３に衝撃少なく接触して押し込まれるための滑動手段としてのローラ１２が設けられている。
滑動手段としては、このようなローラ１２に限らず、例えば、滑動自在なボールであってもよいし、場合によっては、目盛部材１３の先端部を抵抗の少ない曲面に形成することであってもよい。
【００１３】
上記の目盛部材１３は、当該目盛部材１３を長手方向（図３において右方向）に摺動自在に保持する保持体としての枠体９に保持されている。枠体９の表面側の開放部分からは目盛部材１３の表面に刻まれた目盛１４が目視でき、当該目盛１４に対する固定指針１０が枠体９の縁部に突出するように形成されている。
又、この実施の形態１では、目盛１４を目視させる開放部分側に突出するよう上記目盛部材１３の後端側（図３において右側）の一部に突出部９ｂを設ける一方、枠体９の当該開放部分の縁から阻止部９ａを突出形成して、前記突出部９ｂの図３で右方向への摺動をその設置部位で阻止している。
この阻止部９ａと突出部９ｂとで構成されるストッパ手段によって、枠体９から目盛部材１３が（その先端側から）抜けるのを阻止している。
【００１４】
上記保持体としての枠体９の後端側の基部７には、間隙測定装置６を測定間隙の一方側、この場合、スイッチボックス１の終点スイッチ２が配設されている面に着脱自在に固定させる固定手段として磁石８が配設されている。
スイッチボックス１の箱は一般にスチール製であるため、適度の磁力を備えた磁石を用いることで、箱の表面に容易に装着脱させることができる。
【００１５】
さて、上記目盛部材１３は枠体９に摺動自在に保持されてはいるが、そのままでは僅かな力が作用するだけでも軽く摺動してしまう。そこで、この実施の形態１では、目盛部材１３の摺動を相応の力が作用しなければ摺動しないよう、その摺動を適度に抑制する抑制手段として、目盛部材１３が摺動する方向に対してほぼ垂直方向に押圧する付勢部材として板ばね１１を配設している。
図３において、この板ばね１１は、目盛部材１３の裏側に在って、目盛１４が刻まれている表面側の摺動方向両縁部側が枠体９の相応する縁部分等に対して、即ち、枠体９の摺動面の一部に常に圧接させる付勢部材である。
【００１６】
この板ばね１１は、弓なりに反らした状態にて、その中央部分の背を目盛部材１３の裏面に当て他状態にて、両端を枠体９の所定部分に係止させることにより、常に、目盛部材１３を、その摺動方向に対して垂直方向からを押圧している。これにより、目盛部材１３は相応の力の作用を受けない限り、その位置で停止した状態を保つことになる。
尚、この実施の形態１では、抑制手段として上記のような付勢部材を用いているが、これに限らず、例えば、目盛部材１３と枠体９の摺動面に適度な摩擦部材を介在させる構成としてもよい。
【００１７】
次に、上記間隙測定装置６を用いた測定方法を図１に基づいて説明する。
先ず、予め目盛部材１３をその先端側に、例えば最大に引き出した状態にして、ローラ１２の向きを駆動カム３の進行方向に向かい合わせるように注意しながら、スイッチボックス１の表面に枠体９の基部７を内臓された磁石８の吸引力に手着脱自在に固定させる。
次に、通常の自動運転にてエレベータのカゴ１５を上昇移動させ、カゴ１５の駆動カム３の背に、ローラ１２を相対的に乗り上げさせ、乗り上げられた駆動カム３の押圧により、目盛り部材１３を枠体９内に押し戻し摺動させる。
この押し戻されて停止した状態の時、固定指針１０で示される目盛１４の値が間隙寸法となる。
【００１８】
従って、この実施の形態１によれば、測定者がカゴ１５の天井の上に乗り、直接手を差し伸べ、物差し等を直接当てなが目盛を読み取る、という無理な作業を行なう必要がなく、予め、測定位置に間隙測定装置６を設定しておき、カゴ１５を通常運転にて、当該測定位置へ移動させるだけで、間隙の値が間隙測定装置６に記憶されるので、測定位置から間隙測定装置６を回収するだけで、手許にて、目盛を読み取ることができ、極めて迅速且つ容易にして、正確な測定を行なうことができる。
【００１９】
【発明の効果】
請求項１乃至請求項５の各発明によれば、エレベータの上下何れの終点スイッチ間隙を測定するに当っても、予め、側定位置に間隙測定装置を設定しておき、エレベータのカゴを測定位置へ通常運転により移動させるだけで、自動的に測定された値が記憶されるので、測定位置から装置を回収するだけで、手許にて楽に測定値を読み取ることができる。
従って、従来のように、測定者がカゴに乗り込み、測定位置に身を乗り出して直接測定して目盛を読み取る必要がなく、迅速且つ容易にして正確な測定を行なうことができる。
【００２０】
請求項５の発明によれば、装置の測定位置への取付け取外しを容易に行なうことができる。
【図面の簡単な説明】
【図１】  実施の形態１に示すエレベータ上下終点スイッチ間隙測定装置を設置した状態を示す図である。
【図２】  間隙測定装置の斜視図である。
【図３】  間隙測定装置を設置した状態の拡大図である。
【図４】  従来における上部終点スイッチの測定する部位とその構成の概要を示す図である。
【符号の説明】
１  終点スイッチボックス、２  終点スイッチ、２ａ  スイッチローラ、３  駆動カム、４  間隙寸法、５  定規、６  間隙測定装置、７  固定部、８  磁石、９  枠体（保持体）、９ａ  阻止部（ストッパ手段）、９ｂ  突出部（ストッパ手段）、１０  固定指針、１１  板ばね（付勢部材）、１２  ローラ（滑動手段）、１３  目盛部材、１４  目盛、１５  カゴ。
【図１】
0003729688.tif 000002
【図２】
0003729688.tif 000003
【図３】
0003729688.tif 000004
【図４】
0003729688.tif 000005